(57)【特許請求の範囲】
【請求項１】
第１ケースと第２ケースとを重ね合わせて固定することにより、これら両ケースの内部に遊技の制御を行う制御基板を収納可能であると共に、前記第１ケースに設けられた第１シール装着部と前記第２ケースに設けられた第２シール装着部とに跨がって識別情報が記憶されたＩＣタグ付きの封印シールを貼着可能となっている遊技機の基板ケースにおいて、
前記第１シール装着部と前記第２シール装着部とを一体的に固定するネジと、
前記第１シール装着部に溶着され、前記封印シールのうち前記第１シール装着部に貼着された部分と前記ネジの頭部とを同時に覆う第１シールカバーと、
前記第１シールカバーに設けられ、切断されることによって前記ネジの頭部を臨む開口を形成する切除容易部と
を備えたことを特徴とする遊技機の基板ケース。
【請求項２】
請求項１の記載において、
前記第２シール装着部に溶着され、前記封印シールのうち前記第２シール装着部に貼着された部分を覆う第２シールカバーをさらに備え、
前記第１シール装着部に前記第１シールカバーが溶着された状態の前記第１ケースと、前記第２シール装着部に前記第２シールカバーが溶着された状態の前記第２ケースとが、相対的にスライド可能な構成から成る
ことを特徴とする遊技機の基板ケース。
【請求項３】
請求項１または２の記載において、
前記ネジの頭部は、前記第１シール装着部のうち前記封印シールの貼着面と略面一となるように取り付けられ、
前記封印シールは、前記ネジの頭部を覆うように前記第１シール装着部に貼着されるものである
ことを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材を用いて封印されており、この封印部材の一部を破壊しない限り封印状態を解除できないようになっている。
【０００３】
また、近年では、識別情報が格納されたＩＣタグが付いた封印シール（ＩＣタグ封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールを破損しないように剥がしてから基板ケースを開放し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００６】
本発明は、上記した実情に鑑みてなされたものであり、その目的は、開封したことを確実に発見できる遊技機の基板ケースを提供することにある。
【課題を解決するための手段】
【０００７】
上記の目的を達成するために、本発明は、第１ケースと第２ケースとを重ね合わせて固定することにより、これら両ケースの内部に遊技の制御を行う制御基板を収納可能であると共に、前記第１ケースに設けられた第１シール装着部と前記第２ケースに設けられた第２シール装着部とに跨がって識別情報が記憶されたＩＣタグ付きの封印シールを貼着可能となっている遊技機の基板ケースにおいて、前記第１シール装着部と前記第２シール装着部とを一体的に固定するネジと、前記第１シール装着部に溶着され、前記封印シールのうち前記第１シール装着部に貼着された部分と前記ネジの頭部とを同時に覆う第１シールカバーと、前記第１シールカバーに設けられ、切断されることによって前記ネジの頭部を臨む開口を形成する切除容易部とを備えたことを特徴としている。
【０００８】
本発明によれば、第１シールカバーが第１シール装着部に溶着されているので、第１シールカバーを取り外して封印シールを剥がすような不正行為を防止することができる。しかも、本発明は、溶着により第１シールカバーと第１シール装着部とを強固に一体化した構成であるため、そのような不正行為を確実に防止できるといった利点がある。
【０００９】
さらに、本発明は、第１シール装着部と第２シール装着部とをネジにより一体的に固定する構成となっているが、ネジの頭部は第１シールカバーによって覆われているため、ネジの頭部を操作したい場合には、第１シールカバーに設けられた切除容易部を切断しなければならない。つまり、本発明は、切除容易部を切断することによって形成された開口からでないと、ネジの頭部へアクセスすることはできない構成となっている。そのため、第１ケースと第２ケースとの固定を解除するためには、切除容易部を切断した痕跡を残す必要がある。よって、本発明は、切除容易部の切断の痕跡の有無を目視確認するだけで、基板ケースを開封したことを確実に発見することができる。
【００１０】
また、上記構成において、前記第２シール装着部に溶着され、前記封印シールのうち前記第２シール装着部に貼着された部分を覆う第２シールカバーをさらに備え、前記第１シール装着部に前記第１シールカバーが溶着された状態の前記第１ケースと、前記第２シール装着部に前記第２シールカバーが溶着された状態の前記第２ケースとが、相対的にスライド可能な構成とするのが好ましい。この構成によれば、第２シールカバーが第２シール装着部に貼着された封印シールを覆うことができるため、封印シールを剥がすことがより一層困難となる。しかも、溶着により第２シールカバーと第２シール装着部とを強固に一体化した構成であるため、不正行為を確実に防止できるといった利点がある。
【００１１】
ここで、仮に、１つのシールカバーで第１シール装着部および第２シール装着部を全体的に覆うような構成であれば、切除容易部を切断し、ネジの頭部を操作して第１ケースと第２ケースの固定を解除した後に、そのシールカバーを外してからでないと基板ケースを開封できない。ところが、本構成のように、第１シールカバーを第１シール装着部に、第２シールカバーを第２シール装着部にそれぞれ溶着する構成にすれば、切除容易部を切断して、ネジの頭部を操作して第１ケースと第２ケースとの固定を解除するだけで、第１シールカバーおよび第２シールカバーを外さなくても、簡単に基板ケースを開封することができる。
【００１２】
しかも、第１ケースと第２ケースとが相対的にスライドする構成となっているので、第１シール装着部と第２シール装着部とに跨って封印シールを貼着し、第１シール装着部に第１シールカバーを溶着し、第２シール装着部に第２シールカバーを溶着して基板ケースを封印してしまえば、その後に基板ケースを開封しようとして第１ケースと第２ケースとを相対的にスライドさせると、このスライド動作に伴って、封印シールは引き千切られることとなる。そのため、ＩＣタグが破壊され、リーダー機で識別情報を読み取れなくなり、基板ケースが不正に開封されたことを確実に発見できることになる。
【００１３】
また、上記構成において、前記ネジの頭部は、前記第１シール装着部のうち前記封印シールの貼着面と略面一となるように取り付けられ、前記封印シールは、前記ネジの頭部を覆うように前記第１シール装着部に貼着される構成とするのが好ましい。この構成によれば、ネジの頭部を操作するためには、封印シールの少なくとも一部を破ったり、剥がしたりして、当該頭部を露呈させなければならないため、基板ケースが開封されたことをより確実に発見することができる。
【発明の効果】
【００１４】
本発明によれば、第１シールカバーが第１シール装着部に溶着されており、第１シールカバーに設けられた切除容易部を切断しない限り、第１シール装着部と第２シール装着部とを一体的に固定するネジの頭部にアクセスすることができないので、基板ケースを開封する不正行為を防止することができる。仮に、基板ケースを不正に開封しようとすれば、必ず切除容易部を切断しなければならないため、その痕跡が残る。よって、基板ケースの切除容易部を目視することにより、確実に不正行為を発見することができる。
【図面の簡単な説明】
【００１５】
【図１】本発明の実施形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施形態例に係る基板ケースの外観斜視図である。
【図５】図４に示す基板ケースの正面図である。
【図６】図４に示す基板ケースの背面図である。
【図７】図１に示す基板ケースの分解斜視図である。
【発明を実施するための形態】
【００１６】
発明の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた前面枠２と、前面枠２の内側に収容された遊技盤３と、前面枠２の前面に扉状に開閉自在に取り付けられ、中央に大きく開口部８が形成されたガラス扉４と、このガラス扉４の開口部８に取り付けられた透明なガラス板１０と、前面枠２の下側に開閉自在に配設され、遊技球を収容する受皿５を有する前面ボード６と、前面枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００１７】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００１８】
図３に示すように、このパチンコ機Ｐの背面側には、主制御処理部１１、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００１９】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）１１５と、このメイン基板１１５を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００２０】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００２１】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００２２】
次に、前述した基板ケース１００の詳細な構造について図４〜図７を参照しながら説明すると、本実施形態例に係る基板ケース（遊技機の基板ケース）１００は、矩形箱状の透明な上ケース（第１ケース）１０１と、矩形箱状の透明な下ケース（第２ケース）１０２と、上シールカバー（第１シールカバー）１０３と、下シールカバー（第２シールカバー）１０４とを備えている。そして、上ケース１０１と下ケース１０２の内部に収納空間が形成されており、この収納空間にＲＡＭ等が実装された前述のメイン基板１１５が収納されている。
【００２３】
上ケース１０１と下ケース１０２はスライド嵌合によって重ね合わされるようになっており、上ケース１０１には上側シール装着部（第１シール装着部）１０５が形成され、下ケース１０２には下側シール装着部（第２シール装着部）１０６が形成されている。図７に示すように、これら両シール装着部１０５，１０６を重ね合わせて皿ネジ（ネジ）１０７で両者を一体的に固定した後、封印シール１０８が両シール装着部１０５，１０６に跨がって貼り付けられるようになっている。この封印シール１０８は裏面に粘着層が形成された矩形状のベースシートを備えた公知のものであり、粘着層にはＩＣタグ１０８ａが埋め込まれている。なお、ＩＣタグ１０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール１０８のベースシートは手指を用いて簡単に破ることが可能であり、ベースシートを破ることによってＩＣタグ１０８ａも同時に切断される。
【００２４】
上側シール装着部１０５は上ケース１０１の短辺部から外方へ突出するプレート状の構造体であり、その表面には、封印シール１０８の厚さと略同一の高さだけ一段低くした段差１０５ｃが形成されている。また、上側シール装着部１０５には、その中央からやや一側に寄った位置に、皿ネジ１０７を挿入するための貫通孔１０５ａが設けられている。この貫通孔１０５ａは、皿ネジ１０７の頭部の傾斜に合せた加工（皿加工）が施されており、皿ネジ１０７を貫通孔１０５ａに挿入すると、皿ネジ１０７の頭部が貫通孔１０５ａ内に納まって、上側シール装着部１０５のシール貼着面と皿ネジ１０７の頭部とが略面一となる。そのため、皿ネジ１０７を貫通孔１０５ａに取り付けた後に、上側シール装着部１０５の段差部１０５ｃに封印シール１０８を貼り付けても、皿ネジ１０７の頭部により封印シール１０８が盛り上がったりすることはない。また、上側シール装着部１０５には一対の有底穴１０５ｂが設けられている。この有底穴１０５ｂは、後述する上シールカバー１０３に形成された一対の突起１０３ｂが嵌まり込むためのものである。
【００２５】
下側シール装着部１０６は下ケース１０２の短辺部から外方へ突出するプレート状の構造体であり、上側シール装着部１０５と下側シール装着部１０６とを重ね合わせたときに、貫通孔１０５ａと合致する位置に、めねじが形成されたネジ穴１０６ａが設けられている（図６参照）。よって、上側シール装着部１０５と下側シール装着部１０６とを重ね合わせて、皿ネジ１０７を貫通１０５ａからネジ穴１０６ａに向けて挿入してネジ締結すると、上側シール装着部１０５と下側シール装着部１０６とが一体的に固定される。なお、下側シール装着部１０６の表面にも、上側シール装着部１０５と同様に、封印シール１０８の厚さと略同一の高さの段差（図示せず）が形成されている。また、下側シール装着部１０６にも、上側シール装着部１０５と同様に、一対の有底穴（図示せず）が設けられている。この穴は、後述する下シールカバー１０４に形成された一対の突起１０４ｂが嵌まり込むためのものである。
【００２６】
上シールカバー１０３は透明な樹脂成形品であり、上側シール装着部１０５を一度に覆うことが可能な大きさの矩形の箱型形状を成していると共に、上側シール装着部１０５を覆うために、その箱型形状の一部が開放されている。そのため、上シールカバー１０３は、その長手方向に直交する方向に切断した切断面の形状が略Ｌ字状を成している。そして、図７に示すように、上シールカバー１０３の天面には切除容易部１０９が設けられている。この切除容易部１０９は、上シールカバー１０３の天面に設けられた開口１１２と、この開口１１２の縁部から起立するように設けられた４つの脚部１１１と、これら４つの脚部１１１に支持される蓋部１１０とで構成されている。
【００２７】
常態では、蓋部１１０が開口１１２を覆っているため、ドライバー等の工具を開口１１２に挿入することは困難であるが、ニッパー等を用いて４つの脚部１１１を切断すると、蓋部１１０が取り外されて、開口１１２が露呈する。この開口１１２は、上シールカバー１０３の天面のうち、皿ネジ１０７の頭部を臨む位置に設けられており、開口１１２が露呈されると、ドライバー等を開口１１２から皿ネジ１０７の頭部に向けて挿入することができるようになっている。
【００２８】
また、上シールカバー１０３の天面の裏面には、上側シール装着部１０５に設けられた一対の有底穴１０５ｂに嵌まり込むための一対の突起１０３ｂが設けられている。よって、上シールカバー１０３の突起１０３ｂを上側シール装着部１０５の有底穴１０５ｂに嵌めると、上シールカバー１０３と上側シール装着部１０５とが位置決めされる。さらに、上シールカバー１０３の天面の裏面には、周縁に沿って、溶着線Ｌ１がコ字状に形成されている。よって、上シールカバー１０３を上側シール装着部１０５に取り付けて、超音波振動を与えると、この溶接線Ｌ１が溶けて上シールカバー１０３と上側シール装着部１０５とが溶着することとなる。なお、一対の突起１０３ｂは、溶着線Ｌ１の線上に位置している。
【００２９】
下シールカバー１０４は透明な樹脂成形品であり、下側シール装着部１０６を一度に覆うことが可能な大きさの矩形の箱型形状を成していると共に、下側シール装着部１０６を覆うために、その箱型形状の一部が開放されている。そのため、下シールカバー１０４は、長手方向に直交する方向に切断した切断面の形状が略Ｌ字状を成している。
【００３０】
また、下シールカバー１０４の天面の裏面には、下側シール装着部１０６に設けられた一対の有底穴（図示せず）に嵌まり込むための一対の突起１０４ｂが設けられている。よって、下シールカバー１０４の突起１０４ｂを下側シール装着部１０６の有底穴に嵌めると、下シールカバー１０４と下側シール装着部１０６とが位置決めされる。さらに、下シールカバー１０４の天面の裏面には、周縁に沿って、溶着線Ｌ２がコ字状に形成されている。よって、下シールカバー１０４を下側シール装着部１０６に取り付けて、超音波振動を与えると、この溶接線Ｌ２が溶けて下シールカバー１０４と下側シール装着部１０６とが溶着することとなる。なお、一対の突起１０４ｂは、溶着線Ｌ２の線上に位置している。
【００３１】
次に、このように構成された基板ケース１００にメイン基板１１５を収納して封印するまでの手順について、図７を参照しながら説明する。まず、メイン基板１１５を下ケース１０２の内部にネジ止め固定した後、上ケース１０１をＸ方向にスライドさせて、上ケース１０１を下ケース１０２に重ね合わせ、上ケース１０１と下ケース１０２との締結部（図示せず）を適宜固定すると共に、皿ネジ１０７を用いて上側シール装着部１０５と下側シール装着部１０６とを固定する。次に、皿ネジ１０７の上から、封印シール１０８を上側シール装着部１０５と下側シール装着部１０６とに跨るように全体的に貼り付ける。
【００３２】
そして、上シールカバー１０３の突起１０３ｂを上側シール装着部１０５の有底穴１０５ｂに嵌め込んで、上シールカバー１０３と上側シール装着部１０５とを位置決めする。その後、上シールカバー１０３に超音波振動を与えて、上シールカバー１０３と上側シール装着部１０５とを溶着する。同様に、下シールカバー１０４の突起１０４ｂを下側シール装着部１０６の有底穴（図示せず）に嵌め込んで、下シールカバー１０４と下側シール装着部１０６とを位置決めし、その後、下シールカバー１０４に超音波振動を与えて、下シールカバー１０４と下側シール装着部１０６とを溶着する。
【００３３】
これにより、基板ケース１００の封印が完了する。この状態では、封印シール１０８は、上シールカバー１０３と下シールカバー１０４とにより全体的に覆われているため、封印シール１０８を剥がすことはできない。なお、封印が完了した状態の基板ケース１００に対して、リーダー機を上シールカバー１０３または下シールカバー１０４に近付けることにより、封印シール１０８のＩＣタグ１０８ａに記憶されている識別情報をリーダー機で読取ることができる。
【００３４】
基板ケース１００の封印を解除するときは、まず、切除容易部１０９の４つの脚部１１１をニッパー等で切断して、開口１１２を露呈させる。そして、開口１１２にドライバー等を挿入し、封印シール１０８の上から強引に皿ネジ１０７の頭部にドライバー等を突き当てて、皿ネジ１０７を外す。なお、封印シール１０８は、前述したように破れやすい構造であるため、ドライバー等を強引に皿ネジ１０７に突き当てて、皿ネジ１０７を回すと、その力で封印シール１０８の一部は破れる。よって、皿ネジ１０７の上から封印シール１０８が貼り付けられていても、皿ネジ１０７を取り外すことは可能である。
【００３５】
そして、皿ネジ１０７を外せば、上側シール装着部１０５と下側シール装着部１０６との固定は解除されるので、下ケース１０２を手で掴みながら、上ケース１０１を図７のＹ方向に引き出すと、その力で封印シール１０８は引き千切られながら上ケース１０１と下ケース１０２との封印は解除され、メイン基板１１５を検査することができるようになる。なお、このとき、両シールカバー１０３，１０４の取り外しは不要である。つまり、上ケース１０１に上シールカバー１０３が溶着され、下ケース１０２に下シールカバー１０４がそれぞれ溶着された状態のまま、上ケース１０１を下ケース１０２から分離することができる。
【００３６】
以上、説明したように、本実施形態例に係る基板ケース１００では、上ケース１０１の上側シール装着部１０５と下ケース１０２の下側シール装着部１０６とを重ね合わせてネジ止めし、その状態で、両シール装着部１０５，１０６に跨がるように封印シール１０８を貼着した後、両シール装着部１０５，１０６に対して両シールカバー１０３，１０４をそれぞれ溶着すると、封印シール１０８は、両シールカバー１０３，１０４によって全体的に覆われるため、封印シール１０８を剥がすことは困難となる。しかも、シールカバー１０３，１０４は溶着により強固に固定されているので、シールカバー１０３，１０４を取り外すことは困難である。よって、本実施形態例によれば、封印シール１０８を剥がすような不正行為を防止することができる。
【００３７】
しかも、基板ケース１００の封印を解除するには、切除容易部１０９の脚部１１１を切断しなければならないため、脚部１１１が切断された痕跡を見れば、確実に、基板ケース１００の封印が解除されたことを発見することができる。また、基板ケース１００の封印を解除するには、皿ネジ１０７を取り外す必要があるが、皿ネジ１０７を取り外すためには、封印シール１０８をドライバー等で破りながら皿ネジ１０７を緩めていかなければならないため、皿ネジ１０７を緩める過程でＩＣタグ１０８ａが破壊される。さらに、上ケース１０１を下ケース１０２に対してＹ方向にスライドさせる過程においても封印シール１０８は引き千切られるため、ＩＣタグ１０８ａは破壊される。よって、リーダー機を近付けても、ＩＣタグ１０８ａに記憶されている識別情報を読取ることができなくなり、それによって不正行為がなされたことを確実に発見することができる。
【００３８】
つまり、不正に基板ケース１００を開封して、メイン基板１１５のＲＯＭ等を交換した場合には、必ず切除容易部１０９が切断された痕跡が残るうえ、封印シール１０８が破れてＩＣタグ１０８ａが破壊する。よって、本実施形態によれば、目視とリーダー機の両方により確実に基板ケース１００の封印が解除されたことを発見することができるのである。
【００３９】
なお、上記の実施形態例では、開口１１２から起立した脚部１１１で蓋部１１０を支持する構成の切除容易部を示したが、蓋部１１０を開口１１２の内径よりやや小さい形状とし、開口１１２から内方に延在する脚部１１１により、蓋部１１０を開口１１２の内部に保持する構成の切除容易部としても良い。また、脚部１１１をニッパー等で切断する構成に代えて、他の構造のもの、例えばミシン目状や薄肉状の切除容易部を上シールカバー１０３に形成するようにしても良い。
【００４０】
また、上記の実施形態例では、上ケース１０１と下ケース１０２はスライド嵌合により重なり合う構成としたが、この構成に代えて、上ケース１０１と下ケース１０２を、ヒンジを介して開閉可能とする構成とすることもできる。
【００４１】
また、上記の実施形態例では、メイン基板１０４を収納する基板ケース１００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
【符号の説明】
【００４２】
１００  基板ケース
１０１  上ケース（第１ケース）
１０２  下ケース（第２ケース）
１０３  上シールカバー（第１シールカバー）
１０３ｂ  突起
１０４  下シールカバー（第２シールカバー）
１０４ｂ  突起
１０５  上側シール装着部（第１シール装着部）
１０５ａ  貫通孔
１０５ｂ  有底穴
１０５ｃ  段差
１０６  下側シール装着部（第２シール装着部）
１０７  皿ネジ（ネジ）
１０８  封印シール
１０８ａ  ＩＣタグ
１０９  切除容易部
１１０  蓋部
１１１  脚部
１１２  開口
１１５  メイン基板（制御基板）
【図１】
0005524000.tif 000002
【図２】
0005524000.tif 000003
【図３】
0005524000.tif 000004
【図４】
0005524000.tif 000005
【図５】
0005524000.tif 000006
【図６】
0005524000.tif 000007
【図７】
0005524000.tif 000008